(57)【要約】【課題】長期保存中や流通時において常温揮散性防虫成分の吸着によるロスがなく、使用性や成型性、ならびに経済性はもちろんのこと、店頭陳列の際も有利な防虫剤用容器の提供。【課題の解決手段】常温揮散性防虫成分を含む防虫剤を直接被包し、開閉可能に蓋体と本体から構成される容器であって、前記蓋体と本体は、薬剤非吸着性のプラスチックから成型されるか、又は内面が薬剤非吸着性のプラスチックフィルムで積層されてなる防虫剤用容器。【選択図】図１
2005095023.tif 000002
【特許請求の範囲】
【請求項１】
常温揮散性防虫成分を含む防虫剤を直接被包し、開閉可能に蓋体と本体から構成される容器であって、前記蓋体と本体は、薬剤非吸着性のプラスチックから成型されるか、又は内面が薬剤非吸着性のプラスチックフィルムで積層されてなることを特徴とする防虫剤用容器。
【請求項２】
容器上面をその4辺が外方に湾曲する略直方状に形成し、蓋体と本体の係着性を高めたことを特徴とする請求項１に記載の防虫剤用容器。
【請求項３】
流通時において、蓋体と本体がフィルムバンドで巻装されるとともに、容器上面を正面にして縦置きが可能であることを特徴とする請求項１又は２に記載の防虫剤用容器。
【請求項４】
薬剤非吸着性のプラスチックが、ポリエステルであることを特徴とする請求項１ないし３のいずれかに記載の防虫剤用容器。
【請求項５】
常温揮散性防虫成分をセルロース製マット又はシートに含浸させ、これを揮散孔が設けられた薬剤非吸着性のプラスチックケースに収納してなる防虫剤であることを特徴とする請求項１ないし４のいずれかに記載の防虫剤用容器。
【請求項６】
常温揮散性防虫成分を粒状もしくは略粒状のセルロース製ビーズに含浸させ、これを通気性のセルロース系素材もしくは不織布製内袋に収納してなる防虫剤であることを特徴とする請求項１ないし４のいずれかに記載の防虫剤用容器。
【発明の詳細な説明】
【技術分野】
【０００１】
本発明は、防虫剤用容器の改良に関するものである。
【背景技術】
【０００２】
従来から、常温揮散性防虫成分を用いた防虫剤が広く使用されている。防虫剤は、マット、シート状、もしくは粒状のセルロース製もしくは不織布製の担体に、防虫成分を含浸させ、これを揮散孔が設けられたプラスチックケース、あるいは通気性の不織布製の内袋などに収納して製するのが一般的である。そして、通常、常温揮散性防虫成分が長期保存中や流通時において揮散によりロスしないように、防虫剤は、非通気性のプラスチック袋やアルミニウム袋に収納した状態で市販され、使用時に破袋して防虫剤を取り出すようになっている。しかしながら、プラスチック袋やアルミニウム袋を構成するシーラントは、製袋時のシール性や経済性の点からポリエチレン（ＰＥ）やポリプロピレン（ＰＰ）の使用が主流であり、このため、たとえ薬剤非吸着性のプラスチック袋を採用しても、防虫成分の一部がシーラントに吸着しある程度のロスは避けられなかった。また、プラスチック袋やアルミニウム袋の場合、一旦破袋すると密閉性の確保が難しくなり、更に店頭陳列では、載置状態が不安定になるという問題があった。
【０００３】
ところで、防虫成分として常温揮散性ピレスロイドを含む担体が収納されるプラスチックケースについても同様な課題が存在し、これまで、吸着によるロスを防止するため種々の提案がなされてきた。例えば、特許公報第２８１６３６３号に、ケースの材質をポリプロピレンからポリエステルあるいはポリアミドに変更したプラスチックケースが記載され、また特開平１１−１８７７９７号公報には、非晶性環状オレフィンポリマーを用いたケースが開示されている。しかしながら、これらは、あくまでケースの材質の改良に係るものであって、防虫剤を直接収納する包装形態にはほとんど注目されて来なかったのが実情である。
【特許文献１】特許公報第２８１６３６３号
【特許文献２】特開平１１−１８７７９７号公報
【発明の開示】
【発明が解決しようとする課題】
【０００４】
本発明は、長期保存中や流通時において常温揮散性防虫成分の吸着によるロスがなく、使用性や成型性、ならびに経済性はもちろんのこと、店頭陳列の際も有利な防虫剤用容器を提供することを目的とする。
【課題を解決するための手段】
【０００５】
本発明は、上記課題を解決するため、次のような構成を採用する。
（１）常温揮散性防虫成分を含む防虫剤を直接被包し、開閉可能に蓋体と本体から構成される容器であって、前記蓋体と本体は、薬剤非吸着性のプラスチックから成型されるか、又は内面が薬剤非吸着性のプラスチックフィルムで積層されてなる防虫剤用容器。
（２）容器上面をその4辺が外方に湾曲する略直方状に形成し、蓋体と本体の係着性を高めた（１）に記載の防虫剤用容器。
（３）流通時において、蓋体と本体がフィルムバンドで巻装されるとともに、容器上面を正面にして縦置きが可能である（１）又は（２）に記載の防虫剤用容器。
（４）薬剤非吸着性のプラスチックが、ポリエステルである（１）ないし（３）のいずれかに記載の防虫剤用容器。
（５）常温揮散性防虫成分をセルロース製マット又はシートに含浸させ、これを揮散孔が設けられた薬剤非吸着性のプラスチックケースに収納してなる防虫剤である（１）ないし（４）のいずれかに記載の防虫剤用容器。
（６）常温揮散性防虫成分を粒状もしくは略粒状のセルロース製ビーズに含浸させ、これを通気性のセルロース系素材もしくは不織布製内袋に収納してなる防虫剤である（１）ないし（４）のいずれかに記載の防虫剤用容器。
【発明の効果】
【０００６】
本発明の防虫剤用容器は、長期保存中や流通時において常温揮散性防虫成分の吸着によるロスがなく防虫成分を有効に活用できるとともに、店頭陳列や未使用防虫剤の保存の際も取り扱い易いので、その実用性は極めて高い。
【発明を実施するための最良の形態】
【０００７】
本発明で用いられる常温揮散性防虫成分としては、エムペントリンや、一般式（Ｉ）
【化１】
2005095023.tif 000003
（式中、Ｘ及びＹは同一又は相異なって水素原子、メチル基、ハロゲン原子又はトリフルオロメチル基を表し、Ｚは水素原子、フッ素原子、メチル基又はメトキシメチル基を表す）で表されるフッ素置換ベンジルアルコールエステル化合物などのピレスロイドが代表的であるが、これらに限定されない。
【０００８】
一般式（Ｉ）で表される化合物の具体例を示せば、２，３，５，６−テトラフルオロベンジル−クリサンテマート（以後、化合物Ａと称す）、２，３，５，６−テトラフルオロベンジル−２，２−ジメチル−３−（１−プロペニル）シクロプロパンカルボキシレート（以後、化合物Ｂと称す）、２，３，５，６−テトラフルオロベンジル−２，２−ジメチル−３−（２，２−ジクロロビニル）シクロプロパンカルボキシレート（以後、化合物Ｃと称す）、４−メチル−２，３，５，６−テトラフルオロベンジル−クリサンテマート（以後、化合物Ｄと称す）、４−メチル−２，３，５，６−テトラフルオロベンジル−２，２−ジメチル−３−（１−プロペニル）シクロプロパンカルボキシレート（以後、化合物Ｅと称す）、４−メチル−２，３，５，６−テトラフルオロベンジル−２，２−ジメチル−３−（２，２−ジフルオロビニル）シクロプロパンカルボキシレート（以後、化合物Ｆと称す）、４−メトキシメチル−２，３，５，６−テトラフルオロベンジル−クリサンテマート（以後、化合物Ｇと称す）、４−メトキシメチル−２，３，５，６−テトラフルオロベンジル−２，２−ジメチル−３−（１−プロペニル）シクロプロパンカルボキシレート（以後、化合物Ｈと称す）、又は２，３，４，５，６−ペンタフルオロベンジル−２，２−ジメチル−３−（２−クロロ−２−トリフルオロメチルビニル）シクロプロパンカルボキシレート（以後、化合物Ｉと称す）をあげることができる。これらの化合物は一種類を使用してもよいし、又は二種類以上の化合物を組み合わせて使用してもよい。なお、エムペントリンや一般式（Ｉ）で表される化合物には、その不斉炭素や二重結合に基づく光学異性体や幾何異性体が存在するが、これらの各々やそれらの任意の混合物の使用も本発明に含まれるのは勿論である。
【０００９】
本発明では、上記常温揮散性防虫成分を適当な担体に含浸させる。担体としては、紙、パルプ、リンター、ビスコース、木材などのセルロース担体、エチレン−酢酸ビニル系樹脂、オレフィンポリマーなどのプラスチック担体、ケイ酸カルシウムなどの無機質担体、昇華性固体担体、カラギーナンなどのゲル状担体などがあげられ、マットあるいはシート状、平均外径が例えば３ｍｍ〜１０ｍｍの粒状もしくは略粒状、棒状などに形成される。
【００１０】
常温揮散性防虫成分の担体への含浸量は、担体の材質、形状や大きさ、防虫剤の適用場所（引き出し、衣装箱、洋服タンス、クローゼットなど）、使用期間（６ケ月、１２ケ月）などを考慮して適宜決定すればよい。例えば、５０Ｌの引き出しに適用される１２ケ月用の防虫剤では、３０〜１２０ｍｇ程度、また６００Ｌの洋服タンスに適用される６ケ月用の防虫剤では、１００〜４００ｍｇ程度が適当である。
【００１１】
なお含浸に際し、必要ならば適宜、石油系、芳香族炭化水素系、アルコール系などの溶剤を用いることができ、また必要に応じ界面活性剤、分散剤、安定剤、香料、着色剤、帯電防止剤などを適宜配合してもよい。更に、常温揮散性防虫成分の揮散性能に支障を来たさない限りにおいて、揮散性の高い他の殺虫、防虫、忌避成分（例えば、ヒノキチオール、カルボン、サフロール、シトロネロール、ケイ皮アルデヒドなどの防虫香料など）、殺ダニ剤、殺菌剤、消臭剤などを添加して多目的薬剤組成物とすることもできる。
【００１２】
本発明では、かかる含浸担体をケースや袋に収納して防虫剤を製するが、防虫剤の仕様、形態は何ら限定されない。例えば、セルロース製の含浸マット又はシートを、揮散孔が設けられた薬剤非吸着性のプラスチックケースや不織布成型体に収納する形態や、あるいは粒状もしくは略粒状のセルロース製含浸ビーズを、通気性のセルロース系素材もしくは不織布製内袋に収納してなる形態を好適に採用することができる。
プラスチックケースの材質としては、ポリエチレンテレフタレート（ＰＥＴ）、ポリブチレンテレフタレート（ＰＢＴ）などのポリエステル、ポリアミド（ＰＡ）、ポリアセタール、ポリカーボネート、メチルペンテンポリマーなどがあげられるがこれらに限定されない。なかでも、再生ポリエステルを使用すれば、資源節約の観点からも有用であり、これに炭酸カルシウム、炭酸マグネシウム、酸化チタンなどの無機物を配合することによって、焼却カロリーの低減化を図ることもできる。
また、防虫剤に使用の終点を示すインジケーター機能(例えば変色機能)を付与すれば一層便利である。
【００１３】
本発明は、上記防虫剤を直接被包する包装形態として、従来の非通気性のプラスチック袋やアルミニウム袋で密封包装することなく、開閉可能に蓋体と本体から構成される容器であって、前記蓋体と本体が、薬剤非吸着性のプラスチックから成型されるか、又は内面が薬剤非吸着性のプラスチックフィルムで積層されてなる防虫剤用容器を用いたことに特徴を有する。
すなわち、常温揮散性防虫成分を収納するにあたり、これまではヒートシールによって厳密な密閉性を確保することが必須とされていたが、本発明はこの知見を覆し、開閉可能に蓋体と本体から構成される容器であっても、前記蓋体と本体が、薬剤非吸着性のプラスチックから成型されるか、又は内面が薬剤非吸着性のプラスチックフィルムで積層されてなる防虫剤用容器を用いることによって、長期保存中や流通時における常温揮散性防虫成分のロスを十分に抑止できうることを見出したものである。
【００１４】
薬剤非吸着性のプラスチックもしくはプラスチックフィルムの材質としては、ポリエステル（ＰＥＴ、ＰＢＴなど）、ポリアミド、ポリアセタール、ポリカーボネート、ポリアクリルニトリルなどがあげられるが、成型性や入手性等の点からポリエステルが好ましい。そして、容器への成型は、上記プラスチック、又は内面に上記プラスチックフィルムを積層した任意のプラスチック素材（この場合、ＰＰのように薬剤吸着性でもよい）を用いて、プレス加工、押出し加工、カレンダー加工、インフレーション加工、ブロー成型、射出成型、真空成型など、通常の方法により行うことができる。
【００１５】
本発明の防虫剤用容器は、使用時に開閉操作が加えられるが、通常蓋体と本体間の係着性が保たれている。そこで、蓋体と本体間の係着性をより高めるために、以下を付帯させることは好ましい実施形態である。
（１）容器上面をその4辺が外方に湾曲する略直方状に形成する。
（２）蓋体と本体をフィルムバンドで巻装する。この場合、部分的に巻装してもよいし、全体をシュリンク包装するようにしてもよい。
（３）蓋体と本体の係合部分をスポット的にヒートシールする。
（４）開口部を有してもよい非密封性の紙箱や袋に防虫剤容器を更に収納する。
【００１６】
本発明の防虫剤用容器は、容器上面を正面にして縦置きが可能であることはもちろん、適当な部材を取り付けてあらゆる置き方や吊り下げ方式で店頭陳列できる。例えば、必要に応じて、防虫剤用容器に店頭陳列用のフックを設けたり、フック機能を有する台紙を防虫剤用容器に貼合するようにしてもよい。加えて、本発明の防虫剤用容器は、未使用の防虫剤を保存する際も取り扱いやすいというメリットを有する。
そして、本発明の防虫剤用容器によれば、収納される防虫剤は、保存中常温揮散性防虫成分のロスをほとんど生じないので、イガ、コイガ、カツオブシムシなどの衣料害虫、蚊、ユスリカ、チョウバエなどの各種害虫に対してすぐれた防虫効果を効率的に発揮することが可能となる。更に、使用の終点を示すインジケーター機能(例えば変色機能)が、常温揮散性防虫成分の残存量と連動する方式の場合、保存中に防虫成分のロスによって例えば変色が進行し、使用時のインジケーター機能が不正確になるという問題を解決することもできるものである。
【００１７】
次に、具体的実施例ならびに試験例に基づいて、本発明の防虫剤用容器を更に詳細に説明する。
【実施例１】
【００１８】
図１は、本発明の防虫剤用容器の一実施例の斜視図を示す。弁当箱状の防虫剤用容器１（縦約１８ｃｍ×横約１０ｃｍ×高さ７ｃｍ）は、ＰＥＴ製の蓋体２とＰＥＴ製の本体３から構成され、４辺で両パーツが係着している。なお、蓋体２の上面は外方にやや湾曲する略直方状を呈している。
図２に本実施例で用いられる防虫剤４の一例の断面図を示す。大きさが５．１ｃｍ×２．１ｃｍで厚さが１．０ｍｍのパルプ製マット５に、エムペントリン１００ｍｇとパラフィン系溶剤１５ｍｇからなる薬液を均一に含浸させ、このマットを揮散孔６が設けられた再生ＰＥＴ製のプラスチックケース７に収納して使用期間１２ケ月用の防虫剤４を調製した。次に、この防虫剤（４）２０個を前記防虫剤用容器１に収納後、蓋体２と本体３の係着性を高めるため、両パーツをフィルムバンド８で巻装した。
こうして得られた防虫剤入りの防虫剤用容器１を倉庫で１年間保存したところ、当初エムペントリン含浸量を保持し、揮散によるロスや容器への吸着によるロスは全く認められなかった。また、店頭では蓋体２の上面を正面にして縦置きも可能で陳列のバリエーションが増えた。使用時にフィルムバンド８をはずした後、蓋体２を開けて防虫剤４の数個を取り出し、残りは蓋体２を閉めてそのまま保存できた。すなわち、従来のアルミニウム袋包装のように、一旦破袋後、密封性の確保が難しくなることはなかった。
【実施例２】
【００１９】
化合物Ｅ１５０ｍｇとパラフィン系溶剤５０ｍｇからなる薬液を、大きさが７．８×５．８ｃｍで厚さが１．２ｍｍのパルプ製のマット状担体と、大きさが２．０×１．０ｃｍで厚さが１．０ｍｍのインジケーター用マット（防虫成分の残存量と連動し所定量以下になると当初の着色が退色する方式）に含浸させ、これらをＰＥＴ製のプラスチックケースに収納して防虫剤を調製した。なお、プラスチックケースの形状は、意匠登録第１０３３１８４号の記載に基づき、メッシュ孔を有する通気性の二つ折りのフック付きとし、マット状担体収納部（１２．５×７．２ｃｍ）とインジケーター用マット収納部を設けた。実施例１に準じ、内面が厚さ２０μのポリアクリルニトリルで積層されたポリプロピレン素材の防虫剤用容器１（縦約１５ｃｍ×横約１０ｃｍ×高さ５ｃｍ）を作製し、前記防虫剤２個を収納した。また、蓋体と本体の係合部は、１ｃｍおきにスポット的にヒートシールを施して両パーツの係着性を十分なものとした。
こうして得られた防虫剤入りの防虫剤用容器は、長期保存中、マット状担体ならびにインジケーター用マットのいずれにおいても防虫成分のロスは全く認められなかった。この防虫剤用容器から防虫剤を取り出し、容積８００Ｌのタンスの中に２個吊るして使用したところ、収納衣類は約１年間にわたり衣料害虫の食害を受けなかった。また、使用開始時におけるインジケーター用マット中の防虫成分量は当初仕込み値を保持し、この結果インジケーター機能は正確で、終点を示す退色が早まることはなかった。
【実施例３】
【００２０】
実施例１に準じて種々の防虫剤用容器を作製した。表１に示す防虫剤を調製し、その２０個を防虫剤用容器に収納した。４０℃で２ケ月保存後、防虫成分の回収率を求めたところ表１の如くであった。
【００２１】
【表１】
2005095023.tif 000004
【００２２】
試験の結果、本発明の防虫剤用容器に収納した防虫剤は、保存中常温揮散性防虫成分のロスをほとんど生じなかった。なお、本発明３や本発明４に示すように、フィルムバンドで巻装したり、更に紙製小箱に収納することなどは、蓋体と本体の係着性を高め防虫成分のロスをより一層防止することができるので好ましい形態であることも確認された。
これに対し、シーラントとしてポリエチレンフィルムを用いた従来のアルミニウム袋による包装方式（比較例１）では、防虫成分のシーラントへの吸着ロスが免れえず、また比較例３のように、内層に薬剤吸着性のプラスチックフィルムを用いた容器の場合も同様に不適であった。なお、比較例２の如く、シーラントがポリエステルのアルミニウム袋を用いると、防虫成分の吸着ロスは抑止しえるものの、一旦破袋すると未使用分の保存の際、密封性の確保が困難となり、また店頭で縦置き陳列ができないなど利便性の点で不満足であった。
【産業上の利用可能性】
【００２３】
本発明の防虫剤用容器は、常温揮散性防虫成分の有効利用に役立ち、しかも実用性にすぐれるので、産業上の有用性が高い。
【図面の簡単な説明】
【００２４】
【図１】本発明の防虫剤用容器の一実施例の斜視図を示す。
【図２】本発明で用いられる防虫剤の一例の断面図を示す
【符号の説明】
【００２５】
１．防虫剤用容器
２．蓋体
３．本体
４．防虫剤
５．パルプ製マット
６．揮散孔
７．プラスチックケース
８．フィルムバンド
【図１】
2005095023.tif 000005
【図２】
2005095023.tif 000006